(57)【要約】【課題】本発明は転写媒体を搬送する駆動ローラの加工・組立て等による偏心の影響等によるノイズの影響が小さく補正精度の高いカラー画像形成装置の提供する。【解決手段】各色のトナー像のマーク配置を補正しようとする色と隣接した位置に基準色を必ず配置するようにしているため、基準色とのパターン間隔を各色同じにすることができ、センサ位置でトナーマークを検知する際に、位相の影響を小さくすることができ、繰り返しばらつきが小さくなり、位置ズレ補正を高精度に行うことができるカラー画像形成装置である。【選択図】　　　　図５
2004117469.tif 000002
【特許請求の範囲】
【請求項１】
各感光体にトナー像を形成し、転写ドラム又は転写ベルトである転写媒介体上に重ねて転写しトナー像を形成し、このトナー像を転写紙上に転写するカラー画像形成装置であって、転写媒体上の移動方向に並んだマークの配列でなるマークセットを複数形成し、マークセットのマークをセンサで検出して基準位置に対するずれ量を算出するカラー画像形成装置において、
前記カラー画像形成装置は、転写媒体上の各色のマークに隣接した位置に基準色のマークを配置する
ことを特徴としたカラー画像形成装置。
【請求項２】
請求項１に記載のカラー画像形成装置において、
前記算出するずれ量は、基準色の複数のマークを用い、その平均で補正する
ことを特徴とするカラー画像形成装置。
【請求項３】
請求項１又は２に記載のカラー画像形成装置において、
前記補正するずれ量は、副走査レジスト、主走査倍率、主走査レジスト、スキューに対するずれ量である
ことを特徴とするカラー画像形成装置。
【発明の詳細な説明】
【０００１】
【発明の属する技術分野】
本発明は、ファクシミリ、プリンタ、複写機等のカラー画像形成装置に係り、詳しくは、中間転写ベルトや紙搬送ベルトなどの移動体上にトナー像によるマークを形成し、移動体上のマークの位置を検知してずれ量を算出し、このずれ量で書き込みのタイミングを補正する制御を行うカラー画像形成装置に関するものである。
【０００２】
【従来技術】
従来から、転写紙を支持し各色感光体ドラムの配列に沿って搬送して、各色感光体ドラム上のトナー画像を転写紙に転写する転写ベルト上の、幅両端のそれぞれの近くに、各色トナーマークを所定の配列パターンで形成し、光センサで各端のトナーマークを読取って、読取り信号に基づいてマーク配列（パターン）の各マークの位置を算出し、各色作像の、副走査方向（転写ベルト移動方向）の基準位置からのずれ量，主走査方向（転写ベルトの幅方向）のずれ量，主走査ラインの有効ライン長のずれ量および主走査ラインのスキュー等を算出して、書き込みタイミング等の補正項目を補正するカラー画像形成装置が知られている。
このような補正機能を備えたカラー画像形成装置として、特許文献１に記載されているように、転写ベルト上にその移動方向に並んだ各色のマークの配列であるマークセットを形成し、その各マークをセンサで検出して、異なるマークセット上の同色の基準位置に対するずれ量を算出するカラー画像形成装置について提案した。当該カラー画像形成装置では、スキュー補正、倍率補正、レジスト補正の精度を上げるために複数回繰り返すことで高精度位置補正を達成することができるとするものである。
ここで、従来の配置パターンの例を図１１に示す。この図１１のパターン配置では、Ｋ（黒）を基準に、Ｙ（イエロー）、Ｃ（シアン）、Ｍ（マゼンタ）が等間隔ｄ（＝６ｍｍ）に配置されている。
【０００３】
【特許文献１】
特開２００２−２０７３３８号公報
【０００４】
【発明が解決しようとする課題】
前述のように、転写ベルトと接触しながら回転することによって転写ベルトを搬送する駆動ローラに加工・組立て等による偏心がある場合は、転写ベルトの移動速度が一定にならずに、基準位置に対する累積誤差（以後、位置ずれ量と記す）は図１２に示すのように駆動ローラ１回転の周期Ｔで正弦波的に変化する（駆動ローラの偏心は、ローラ軸に対するローラ表面の振れや、ローラ軸を回転させるための軸に取り付けたプーリ等の振れにより生じる）。
【０００５】
これに対し、各色のステーション間の距離を上記回転周期Ｔの整数倍にすることで重ね合わせた時の位相を合わせることで理論上は相対的な位置ずれをゼロにする事が可能といわれている。ところが、位置補正用のトナーマークを検出するセンサは通常反射型もしくは透過型のフォトセンサが用いられ、反射率または透過率に応じた出力を検知してパターンを認識する。
そのため、前記従来例のようにパターンを分離した状態で位置検出すると、正弦波的に変動するベルト上に搬送されるトナーパターンはセンサ上位相がずれた状態の出力を検出する事になるため、図１３に示すように、ベルト上のトナーマークの実際の各色間の距離が例えばｄで一定であったとしてもＫ−Ｙ間がｄ、Ｋ−Ｃ間が２×ｄ、Ｋ−Ｍ間が３×ｄであるので、それぞれにベルト変動による誤差分を検知してしまうことになる。
【０００６】
図１４に図１１に示すパターン配置でのシミュレーションの結果を示す。ここでは、それぞれ補正パターンを８回繰り返し作成し、Ｋ（黒）を基準に、Ｙ（イエロー）、Ｃ（シアン）、Ｍ（マゼンタ）とのずれ量を８回行った結果を表したものである。図１４を見ると、基準のＫから遠くなるにつれてＫとの間隔がｄ、２×ｄ、３×ｄとなるため、Ｙ，Ｃ，Ｍの順にばらつきが大きくなっているのがわかる。つまり、トナーマーク各色間の関係が実際よりもずれた値と判断してしまうことになるため、高精度の位置ずれ補正を妨げていた。
一方、これに対しては、パターン間隔を狭めることで、変動周期Ｔに対してｄを小さくしてやること（図１３右側のｄを参照）によって位相の影響を小さくすることができるが、生じている位置ずれ量が大きい場合にはパターンが重なるあるいは入れ替わってしまう可能性があるため、安易にｄの値を小さく設定することができないという問題があった。
また、副走査レジストは直接的に基準との比較で求められるため、センサの数だけ平均化されノイズに強い（ノイズの影響が小さい）検出になるが、その他の補正項目は、各色の長さの比較もしくは基準色との比較となるためを副走査レジストよりもノイズや部分的な変動に弱い（ノイズの影響が大きい）検出となってしまっている。
【０００７】
そこで、本発明はこのような不具合に鑑みてなされたもので、転写ベルトを搬送する駆動ローラの加工・組立て等による偏心の影響等、ノイズの影響が小さく補正精度の高いカラー画像形成装置を提供することを課題とする。
【０００８】
【課題を解決するための手段】
上記課題を解決するために、請求項１に係る発明は、各感光体にトナー像を形成し、転写ドラム又は転写ベルトである転写媒介体上に重ねて転写しトナー像を形成し、このトナー像を転写紙上に転写するカラー画像形成装置であって、転写媒体上の移動方向に並んだマークの配列でなるマークセットを複数形成し、マークセットのマークをセンサで検出して基準位置に対するずれ量を算出するカラー画像形成装置において、前記カラー画像形成装置は、転写媒体上の各色のマークに隣接した位置に基準色のマークを配置するカラー画像形成装置である。
請求項２に係る発明は、請求項１に記載のカラー画像形成装置において、前記算出するずれ量は、基準色の複数のマークを用い、その平均で補正するカラー画像形成装置である。
請求項３に係る発明は、請求項１又は２に記載のカラー画像形成装置において、　前記補正するずれ量は、副走査レジスト、主走査倍率、主走査レジスト、スキューに対するずれ量であるカラー画像形成装置である。
【０００９】
【発明の実施の形態】
本発明を適用したカラー画像形成装置では、転写媒体上にトナー像によるパターンを形成してそれをセンサで読取り、基準位置とのズレ量を計算してそれを補正するカラー画像形成装置において、各色のトナー像マークの配置を補正しようとする色の隣接した位置に基準色を必ず配置するようにしているためパターン間隔ｄを各色同じにすることができ、センサ位置でトナーマークを検知する際に、パターン間隔を狭めることで、変動周期Ｔに対して３×ｄとなることがないので位相の影響を小さくすることができ位置ズレ補正を高精度に行うことが可能となる。
また、基準色との比較をそれぞれ複数の基準色との平均で行うので、より高精度位置ずれ補正を行うことが可能になる。
【００１０】
以下、図面と共に本発明を適用したカラー画像形成装置を詳述する。
図１に、本発明を一態様で実施するカラー画像形成装置の機構概要を示す。このカラー画像形成装置は、カラープリンタＰＴＲに画像スキャナＳＣＲ，自動原稿供給装置ＡＤＦ，ソータＳＯＲ及びその他を組付けた、複合機能があるデジタルカラー複写機であり、それ自身で、原稿のコピ−を生成することができ、また、パ−ソナルコンピュ−タ（以下ＰＣと表現）等のホストＰＣから、通信インターフエイスを通じて、画像情報である印刷デ−タが与えられるとそれをプリントアウト（画像出力）できるシステム構成である。
【００１１】
図２に、カラ−プリンタＰＴＲの機構を示す。図３は、電制御系のブロック図を示す。スキャナＳＣＲが発生する各色の画像データは、画像処理４０で、Ｋ（ブラック），Ｙ（イエロ−），Ｃ（シアン）およびＭ（マゼンタ）各々の、カラ−記録用の画像データ（以下、記録画像データ又は単に画像データ）に変換された後、各々、プリンタＰＴＲの書込みユニット（露光装置）５へと送られる。書込みユニット５は、記録画像データに従い、Ｍ，Ｃ，ＹおよびＫ記録用の各感光体ドラム６ａ，６ｂ，６ｃおよび６ｄ上に、Ｍ，Ｃ，ＹおよびＫ記録用の画像データで変調したレーザービーム光を走査投射し、静電潜像を形成する。各静電潜像は各現像器７ａ，７ｂ，７ｃおよび７ｄにより、Ｍ，Ｃ，ＹおよびＫトナ−のそれぞれで現像され、各色のトナー像（顕像）を形成する。
一方、転写紙は、給紙カセット８より転写ベルトユニットの転写ベルト１０上に搬送され、各感光体ドラム上に現像形成された各色画像（顕像）が、転写器１１ａ，１１ｂ，１１ｃおよび１１ｄにて転写紙上に順に転写され、重ね合わさった後に、定着装置１２によって定着される。定着を終えた転写紙は機外に排出される。
転写ベルト１０は、駆動ロ−ラ９，テンションロ−ラ１３ａおよび従動ロ−ラ１３ｂで支持された透光性のエンドレスベルトであり、テンションロ−ラ１３ａが図示しないばねでベルト１０を押し下げるので、ベルト１０の張力は略一定である。
【００１２】
プリンタＰＴＲは、上述の重ね合せ転写の位置ずれ（色間ずれ）を防止するために、露光装置５によって各感光体ドラム６ａ，６ｂ，６ｃおよび６ｄ上の手前（図２において表面側：以下、フロントと表現）と奥（図２において裏面側：以下、リアと表現）に位置検出用のテストパターン（図４）を書き込み現像し、転写ベルト１０上に転写し、転写ベルト１０に転写したテストパタ−ンを、反射型光センサ２０ｆ（フロント側），２０ｒ（リア側）で読みとることによって、各感光体ドラム６ａ，６ｂ，６ｃ，６ｄに対する露光装置５の書き込み位置ずれ，傾き，倍率等を検知し、これらによる位置ずれをなくすように、各感光体ドラムに対する露光装置５の書き込みのタイミング等を補正するように構成されている。
図３に、図１に示す複写機の電気系システムを示す。原稿を光学的に読み取る原稿スキャナＳＣＲは、読み取りユニット２４にて、原稿に対するランプ照射の反射光をミラー及びレンズにより受光素子に集光する。受光素子（本実施例ではＣＣＤ）は、センサー・ボード・ユニットＳＢＵ（以下単にＳＢＵと称す）にあり、ＣＣＤに於いて電気信号に変換された画像信号は、ＳＢＵ上でディジタル信号すなわち読取った画像デ−タに変換された後、ＳＢＵから、画像処理４０に出力される。
【００１３】
システムコントローラ２６とプロセスコントローラ１は、パラレルバスＰｂ及びシリアルバスＳｂを介して相互に通信を行う。画像処理４０は、その内部に於いてパラレルバスＰｂとシリアルバスＳｂとのデータインターフェースのためのデータフォーマット変換を行う。
ＳＢＵからの読取り画像デ−タは、画像処理４０に転送され、画像処理が、光学系及びディジタル信号への量子化に伴う信号劣化（スキャナ系の信号劣化：スキャナ特性による読取り画像デ−タの歪）を補正し、該画像デ−タを複写機能コントロ−ラＭＦＣに転送してメモリＭＥＭに書込む。又は、プリンタ出力のための処理を施してプリンタＰＴＲに与える。
すなわち、画像処理４０には、読取り画像デ−タをメモリＭＥＭに蓄積して再利用するジョブと、メモリＭＥＭに蓄積しないでビデオ・データ制御ＶＤＣ（以下、単にＶＤＣと称す）に出力してレ−ザプリンタＰＴＲで作像出力するジョブとがある。メモリＭＥＭに蓄積する例としては、１枚の原稿を複数枚複写する場合、読み取りユニット４を１回だけ動作させ、読取り画像デ−タをメモリＭＥＭに蓄積し、蓄積データを複数回読み出す使い方がある。メモリＭＥＭを使わない例としては、１枚の原稿を１枚だけ複写する場合、読取り画像デ−タをそのままプリンタ出力用に処理すれば良いので、メモリＭＥＭへの書込みを行う必要はない。
【００１４】
まず、メモリＭＥＭを使わない場合、画像処理４０は、読取り画像データに画像読取り補正を施してから、面積階調に変換するための画質処理を行う。画質処理後の画像データはＶＤＣに転送する。面積階調に変化された信号に対し、ドット配置に関する後処理及びドットを再現するためのパルス制御をＶＤＣで行い、レ−ザプリンタＰＴＲの露光ユニット５に於いて転写紙上に再生画像を形成する。
メモリＭＥＭに蓄積し、それからの読み出し時に付加的な処理、例えば画像方向の回転，画像の合成等を行う場合は、画像読取り補正を施した画像データは、パラレルバスＰｂを経由して画像メモリアクセス制御ＩＭＡＣ（以下単にＩＭＡＣと称す）に送られる。ここではシステムコントローラ２６の制御に基づき画像データとメモリモジュ−ルＭＥＭ（以下単にＭＥＭと称す）のアクセス制御，外部パソコンＰＣ（以下単にＰＣと称す）のプリント用データの展開（文字コ−ド／キャラクタビット変換），メモリー有効活用のための画像データの圧縮／伸張を行う。ＩＭＡＣへ送られたデータは、データ圧縮後ＭＥＭへ蓄積し、蓄積データを必要に応じて読み出す。読み出しデータは伸張し、本来の画像データに戻しＩＭＡＣからパラレルバスＰｂ経由で画像処理４０へ戻される。
【００１５】
画像処理４０へ戻されると、そこで画質処理を、そしてＶＤＣでのパルス制御を行い、露光ユニット５に於いて転写紙上に顕像（トナ−像）を形成する。
複合機能の１つであるＦＡＸ送信機能は、原稿スキャナＳＣＲの読取り画像データを画像処理４０にて画像読取り補正を施し、パラレルバスＰｂを経由してＦＡＸ制御ユニットＦＣＵ（以下単にＦＣＵと称す）へ転送する。ＦＣＵにて公衆回線通信網ＰＮ（以下単にＰＮと称す）へのデータ変換を行い、ＰＮへＦＡＸデータとして送信する。ＦＡＸ受信は、ＰＮからの回線データをＦＣＵにて画像データへ変換し、パラレルバスＰｂ及びＣＤＩＣを経由して画像処理４０へ転送される。この場合特別な画質処理は行わず、ＶＤＣにおいてドット再配置及びパルス制御を行い、露光ユニット５に於いて転写紙上に顕像を形成する。
複数ジョブ、例えばコピー機能、ＦＡＸ送受信機能およびプリンタ出力機能、が並行に動作する状況に於いて、読み取りユニット２４、露光ユニット５及びパラレルバスＰｂ使用権のジョブへの割り振りを、システムコントロ−ラ２６及びプロセスコントロラ１にて制御する。
プロセスコントローラ１は、画像データの流れを制御し、システムコントローラ６はシステム全体を制御し、各リソースの起動を管理する。このデジタル複合機能複写機の機能選択は、操作ボ−ドＯＰＢにて選択入力し、コピー機能、ＦＡＸ機能等の処理内容を設定する。
【００１６】
図３に示すプリンタエンジン４が、図２に示すプリント機構すなわち画像形成機構に組み込まれた、モータ、ソレノイド、チャージャ、ヒータ、ランプなどの電気機器および電気的センサならびにそれらを駆動する電気回路（ドライバ）および検出回路（信号処理回路）を含む機構駆動電気系であり、これらの電気回路の動作がプロセスコントローラ１で制御され、電気的センサの検出信号（動作状態）がプロセスコントローラ１で読み込まれる。
再度図２を参照する。感光体ドラム６ａ、６ｂ、６ｃ、６ｄを中心とする、それぞれが帯電ローラ、感光体ドラム、クリーニング機構および除電ランプを含む４つの潜像担持ユニット６０ａ〜６０ｄ（６ａのものが図４に示す６０ａ；他のものの記号６０ｂ〜６０ｄの図示は省略）、ならびに、４つの現像ユニット７ａ〜７ｄはそれぞれ、機体に対して着脱可のユニット構成である。
【００１７】
図４の（ａ）に、感光体ドラム６ａを含む潜像担持ユニット６０ａ、および、感光体ドラム６ａの潜像を現像する現像ユニット７ａの、ユニット前面を示す。潜像担持ユニット６０ａの感光体ドラム６ａの軸体のフロント側端部６１は、ユニット６０ａの前面カバー６７（図４の（ｂ））を貫通して突出している。該端部６１は、軸揃え用の面板ユニット８０の面板８１（図４の（ｂ））に開けられた図示しない感光体ドラム６ａ用の位置決め穴に進入しやすいように、円錐形に尖っている。
なお、面板８１には、感光体ドラム６ａ〜６ｄの軸（６１）および現像ユニット７ａ〜７ｄの現像ローラ軸（７１）のそれぞれを受け入れる位置決め穴があり、面板８１を基枠に固着することにより、感光体ドラム６ａ〜６ｄの軸および現像ユニット７ａ〜７ｄの現像ローラ軸の、フロント側端部の位置が精密に定まる。
面板８１には、潜像担持ユニットそれぞれの有無検出用ならびに現像ユニットそれぞれの有無検出用の常閉マイクロスイッチ６９ａ〜６９ｄおよび７９ａ〜７９ｄ（図７）が嵌りこんだ大径穴があり、これらのマイクロスイッチは、プリント基板８２で支持されている。面板８１の内面は内カバー８４で覆われ、プリント基板８２側の外面は外面カバー８３で覆われている。
【００１８】
現像ユニット７ａには、ユニット前面から突出する、マイクロスイッチ６９ａ操作用のねじ付きピン６４があり、同様なねじ付きピン７４が現像ユニット７ａにもある。他の潜像担持ユニットおよび現像ユニットも同様である。
図４（ｂ）および（ｃ）に、ねじ付きピン６４部の、潜像担持ユニット６０ａの縦断面を示す。（ｂ）は、複写機に装着された潜像担持ユニット６０ａが新品で、まだ帯電ローラ６２が回転駆動されたことがない状態を示し、（ｃ）は帯電ローラ６２がすでに回転駆動されたことがある状態を示す。
感光体ドラム６ａを均一に荷電するための帯電ローラ６４は感光体ドラム６ａに接触し、感光体ドラム６ａと実質上同一の周速度で回転する。帯電ローラ６４の表面の汚れは、クリーニングパッド６３で拭い取られる。帯電ローラ６４の回転軸６２ａは、ベアリングを介して潜像担持ユニット６０ａのフロント側支持板６８で回転自在に支持されている。連結スリーブ６５が、回転軸６２ａの先端に固着されており、回転軸６２ａと一体で回転する。連結スリーブ６５の中心には、横断面が正方形の穴があり、そこにねじ付きピン６４の、大略で正方形角柱状の脚６４ｂが嵌りこんでいる。この脚６４ｂの雄ねじ６４ｓ側の２／３程度の長さの領域が、連結スリーブ６５の正方形の穴に係合する正方形角柱であるが、脚６４ｂの先端側の残り１／３程度の長さの領域は、連結スリーブ６５に対して空転できる丸棒状である。
【００１９】
図４（ｂ）に示すように、ねじ付きピン６４の先頭ピン６４ｐと脚６４ｂの間には、大径の雄ねじ６４ｓがあり、新品（未使用）の潜像担持ユニット６０ａでは、ユニット前面カバー６７の雌ねじ穴にねじ結合し、戻しばね６６が圧縮されている。この状態では、ピン６４の、ユニット前面からの突出長は短い。しかし、この状態で帯電ローラ６２が回転駆動されると、それによってねじ付きピン６４が回転し、雌ねじ穴とねじ結合していることにより、面板８１に近づく方向に移動し、マイクロスイッチの切換え操作子に当たる。この移動によりねじ付きピン６４の雄ねじ６４ｓが雌ねじ穴を貫通してしまう直前に、常閉マイクロスイッチが、閉から開に切換る。
【００２０】
図４（ｃ）に示すように、雄ねじ６４ｓが雌ねじ穴を貫通してしまうと、戻しばね６６によってピン６４が突き出される。これにより、ピン６４の脚６４ｂの角柱部がスリーブ６５の四角穴から出てしまい、帯電ローラ６２が回転しても、ピン６４は回転しない。
したがって、すでに使用を開始している潜像担持ユニット（例えば６０ａ）が複写機にそのまま装着されている時には、マイクロスイッチ（６９ａ）は常に開（オフ）である。新品（未使用）の潜像担持ユニット（６０ａ）が装着されても、すなわちユニットの交換があっても、その帯電ローラ（６２）が回転駆動されるまでは、マイクロスイッチ（６９ａ）は閉（オン）である。複写機電源が入った時にマイクロスイッチ（６９ａ）が閉（オン）で、作像機構の駆動を開始すると開（オフ）に切換った時には、ユニット交換後最初の電源投入であったことがわかる。すなわち、電源投入の直前にユニットの交換があったことが分かる。他の潜像担持ユニットおよび現像ユニットの装着検出および新品との交換があつたことの検出も同様に行われる。なお、現像ユニット７ａ〜７ｄにおいては、現像ローラ７２と同期してそれと同方向に回転する均しローラ７３に、ねじ付きピン６４と同様なねじ付きピン７４が、転写ローラ６２の前面カバー６７部の支持機構と同様な支持機構を介して結合されている。
【００２１】
図５に示すように、「色合わせ」を実施する時に、プリンタＰＴＲの転写ベルト１０上にテストパタ−ンが形成される。すなわち、リアには、ブラックＫのスタートマークＭｓｒを先頭に、マークピッチｄの４ピッチ４ｄの空きの後に、複数セットのマークセットが、転写ベルト１０の１周長以内に、セットピッチ（定ピッチ）Ｃで順次形成される。
【００２２】
第１マークセットは、主走査方向ｘ（転写ベルト１０の幅方向）に平行な次の直交マーク群、
イエローＹの第１直交マークＮｙ＿Ｒ１，
第１の基準色となるブラックＫの第２直行マークＮｋ１＿Ｒ１，
シアンＣの第３直交マークＮｃ＿Ｒ１，
第２の基準色となるブラックＫの第４直行マークＮｋ２＿Ｒ１，および、
マゼンタＭの第５直交マークＮｍ＿Ｒ１、
ならびに、図６に拡大して示すように主走査方向ｘに対して４５゜の角度をなす次の斜交マーク群、
イエローＹの第１斜交マークＮｙ＿Ｒ２，
第１の基準色となるブラックＫの第２斜交マークＮｋ１＿Ｒ２，
シアンＣの第３斜交マークＮｃ＿Ｒ２，
第２の基準色となるブラックＫの第４斜交マークＮｋ２＿Ｒ２，および、
マゼンタＭの第５斜交マークＮｍ＿Ｒ２、
を含んでいる。
その後連続して形成される複数のマークセットの内容は、第１マークセットと同じである。フロントにも、上述のリアのテストパターンと同じテストパターンが同時に同じく形成される。これらのテストパターンに含まれる各マークに付した記号の、末尾のＲはリア側のものであることを、Ｆはフロント側のものであることを示す。
【００２３】
図７に、前述の、ユニット装着検知用のマイクロスイッチ６９ａ〜６９ｄ，７９ａ〜７９ｄおよび光センサ２０ｒ，２０ｆと、それらの検出信号を読み込む電気回路を示す。マーク検出ステージで、ＲＯＭ，ＲＡＭ，ＣＰＵおよび検出データ格納用ＦＩＦＯメモリ等を主体とするマイクロコンピュータ（以下ＭＰＵと言う）４１（のＣＰＵ）が、Ｄ／Ａコンバータ３７ｒ，３７ｆに、光センサ２０ｒ，２０ｆの発光ダイオード（ＬＥＤ）３１ｒ，３１ｆの通電電流値を指定する通電データを与え、Ｄ／Ａコンバータ３７ｒ，３７ｆがそれをアナログ電圧に変換してＬＥＤドライバ３２ｒ，３２ｆに与える。これらのドライバ３２ｒ，３２ｆは、アナログ電圧に比例する電流をＬＥＤ３１ｒ，３１ｆに通電する。
【００２４】
ＬＥＤ３１ｒ，３１ｆが発生した光は、図示しないスリットを通って転写ベルト１０にあたり、大部分がそれを透過して、転写ベルト１０の裏面に摺接してベルト１０の鉛直方向の振動を抑止する背面反射板２１で反射し、そして転写ベルト１０を透過して、更に図示しないスリットを通ってフォトトランジスタ３３ｒ，３３ｆに当たる。これによりトランジスタ３３ｒ，３３ｆのコレクタ／エミッタ間が低インピーダンスになって、エミッタ電位が上昇する。前述のマークＭｓｒ等がＬＥＤ３１ｒ，３１ｆに対向する位置に到来すると、マークが光を遮断するので、トランジスタ３３ｒ，３３ｆのコレクタ／エミッタ間が高インピーダンスになって、エミッタ電圧すなわち光センサ２０ｒ，２０ｆの検出信号のレベルが低下する。したがつて、前述のように、移動する転写ベルト１０上にテストパターンを形成すると、光センサ２０ｒ，２０ｆの検出信号が高低に変動する。この電圧の高はマークなしを、低はマークありを意味する。
光センサ２０ｒ，２０ｆの検出信号は、高周波ノイズ除去用の低域通過フィルタ３４ｒ，３４ｆを通して、更にレベル校正用の増幅器３５ｒ，３５ｆでレベルを０〜５Ｖに校正されて、Ａ／Ｄコンバータ３６ｒ，３６ｆに印加される。
【００２５】
図８に、ＭＰＵ４１の、プリンタエンジン制御すなわちプリント制御の概要を示す。それ自身に動作電圧が印加されると、ＭＰＵ４１は、入出力ポートの信号レベルを待機状態のものに設定し、内部のレジスタ，タイマなども待機状態に設定する（ステップｍ１）。なお、ここ以降においては、カッコ内にステップＮｏ．又はステップ記号を示す時には、「ステップ」という語は省略して、Ｎｏ．数字又は記号のみを記す。
初期化（ｍ１）を完了するとＭＰＵ４１は、機構各部および電気回路の状態を読取って、画像形成に支障がある異常があるかをチェックして（ｍ２，ｍ３）、マイクロスイッチ６９ａ〜６９ｄ，７９ａ〜７９ｄのいずれかが閉（オン）であると、該閉のマイクロスイッチの位置にユニット（潜像形成ユニット又は現像ユニット）の装着が無いか、あるいは新品ユニットに交換された直後の複写機電源オンである。
【００２６】
いずれであるかを確認するために、ＭＰＵ４１は、一時的に作像系を駆動する（ｍ２１，ｍ２２）。これにより、転写ベルト１０が転写紙搬送方向に駆動されると共に、感光体ドラム６ａ〜６ｄおよびそれに接触する帯電ローラ６２，・・・ならびに現像ユニット７ａ〜７ｄの現像ローラ７２，・・・が回転し、新品ユニットに交換された直後であつた場合には、閉であったマイクロスイッチが、開（装着あり）に切換る。ユニットの装着が無かった場合には、閉に留まる。
ＭＰＵ４１は、作像系を駆動した結果、閉であったマイクロスイッチが開に切換った場合には、たとえばＫ潜像形成ユニットの着脱を検知するマイクロスイッチが開（ＰＳｄ＝Ｈ）から閉（ＰＳｄ＝Ｌ）に切換ると、Ｋ潜像形成ユニットに宛てたプリント積算数レジスタ（不揮発メモリ上の一領域）をクリア（Ｋプリント積算数を０に初期化）し、レジスタＦＰＣに、ユニット交換があったことを示す「１」を書きこむ（ｍ２４）。
マイクロスイッチが開に切換わらなかったときには、ユニットの装着が無いと見なして、それをあらわす異常報知をする（ｍ２３−ｍ４）。なお、その他の異常があるとそれを操作表示ボードＯＰＢに表示する（ｍ２１−ｍ４）。異常が無くなるまで、状態読取り（ｍ２）を繰返す。
異常がないと、定着器への通電を開始し、定着温度が、定着可温度であるかをチェックして、定着可温度でないと、待機表示を、定着可温度であるとプリント可表示を、する（ｍ５）。
【００２７】
また、定着温度が６０゜Ｃ以上であるかをチェックして（ｍ６）、定着温度が６０゜Ｃ未満であると、長時間休止（不使用）後の複写機電源オン（例えば朝一番の電源オン：休止中の機内環境の変化が大きい）と一応見なして、色合わせ実行を操作表示ボードＯＰＢに表示し（ｍ７）、ＭＰＵ４１のレジスタ（メモリの一領域）ＲＣｎに、その時不揮発メモリに保持しているカラープリント枚数積算数ＰＣｎを書込み（ｍ８）、ＭＰＵ４１のレジスタＲＴｒにその時の機内温度を書込んで（ｍ９）、「調整」（ｍ２５）を実行し、それが終わると、レジスタＦＰＣをクリアする（ｍ２６）。「調整」（ｍ２５）の内容は、図９の（ａ）以下を参照して後述する。
定着温度が６０゜Ｃ以上であったときには、前回の複写機の電源オフからの経過時間が短いと見なすことができる。この場合には、前回の電源オフ直前から現在までの機内環境の変化は小さいと推察できる。しかし、いずれかの色の、潜像形成ユニット６０ａ，・・・あるいは現像ユニット７ａ〜７ｄの交換があったか、すなわち、上述のステツプｍ２４で、ユニット交換を表す情報が生成されているか、をチェックする（ｍ１０）。該情報があると、すなわちユニットの交換があった場合は、上述のステップｍ７〜ｍ９を実行し、そして後述の「調整」（ｍ２５）を実行する。
【００２８】
作像ユニット（潜像形成ユニット又は現像ユニット）の交換が無かったときにはＭＰＵ４１は、操作表示ボードＯＰＢを介したオペレータの入力およびパソコンＰＣのコマンドを待つ（ｍ１１）。ここで、操作表示ボードＯＰＢを介して「色合わせ」指示がオペレータから与えられると（ｍ１２）、ＭＰＵ４１は、上述のステップｍ７〜ｍ９を実行し、そして後述の「調整」（ｍ２５）を実行する。定着温度が定着可温度で、しかも各部がレデイである時に、操作表示ボードＯＰＢからコピースタート指示があると、或いは、システムコントローラ２６から、パソコンＰＣからの印刷コマンドに対応したプリントスタート指示があると、ＭＰＵ４１は、指定枚数の画像形成をする（ｍ１３，ｍ１４）。この画像形成において、１枚の画像形成を終えて排出するたびに、ＭＰＵ４１は、それがカラー記録であるときには、不揮発メモリに割り当てているプリント総枚数レジスタ，カラープリント積算数レジスタＰＣｎ，ならびに、Ｋ，Ｙ，ＣおよびＭプリント積算数レジスタのそれぞれのデータを１インクレメントする。モノクロ記録であった時には、プリント総枚数レジスタ，モノクロプリント積算数レジスタおよびＫプリント積算数レジスタのそれぞれのデータを１インクレメントする。
なお、Ｋ，Ｙ，ＣおよびＭプリント積算数レジスタのデータはそれぞれ、Ｋ，Ｙ，ＣおよびＭ潜像形成ユニットが新品に交換された時に、０をあらわすデータに初期化（クリア）される。
【００２９】
ＭＰＵ４１は、１枚の画像形成を行うたびに、ペーパトラブル等の異常の有無をチエックすると共に、指定枚数のプリントアウトを終えると、現像濃度，定着温度，機内温度、その他各部の状態を読み込む（ｍ１５）。異常があるとそれを操作表示ボードＯＰＢに表示して（ｍ１７）、異常が無くなるまで、状態読取り（ｍ１５）を繰返す。
画像形成を再開できる状態すなわち正常であると、ＭＰＵ４１は、そのときの機内温度が、前回の色合わせのときの機内温度（レジスタＲＴｒのデータＲＴｒ）から５゜Ｃを超える温度変化があったかをチェックする（ｍ１８）。５゜Ｃを超える温度変化があると、ＭＰＵ４１は、上述のステップｍ７〜ｍ９を実行し、そして後述の「色合わせ」（ＣＰＡ）を実行する。５゜Ｃを超える温度変化がないときには、カラープリント積算数レジスタＰＣｎの値ＰＣｎが、前回の色合わせのときのカラープリント積算数レジスタＰＣｎの値ＲＣｎ（レジスタＲＣｎのデータ）よりも２００枚以上多いかをチェックして（ｍ１９）、２００枚以上多いと、上述のステップｍ７〜ｍ９を実行し、そして後述の「色合わせ」（ＣＰＡ）を実行する。２００枚未満であると、定着温度が定着可温度であるかをチェックして、定着可温度でないと、待機表示を、定着可温度であるとプリント可表示をする（ｍ２０）。そして「入力読取り」（ｍ１１）に進む。
【００３０】
上述の、図８に示す制御フローにより、ＭＰＵ４１は、（１）定着温度が６０゜Ｃ未満で電源オンになったとき、（２）Ｋ，Ｙ，ＣおよびＭ作像ユニットのいずれかが新品に交換された時、（３）操作表示ボードＯＰＢより色合わせ指示があったとき、（４）指定枚数のプリントアウトを完了し、しかも機内温度が前回の色合わせのときの機内温度から５゜Ｃを超える変化をしているとき、および、（５）指定枚数のプリントアウトを完了し、しかもカラープリント積算数ＰＣｎが、前回の色合わせのときの値ＲＣｎよりも２００以上多くなっているときに、次に説明する「調整」（ｍ２５）を実行する。
【００３１】
図９（ａ）に、「調整」（ｍ２５）の内容を示す。この「調整」（ｍ２５）では、まず「プロセスコントロール」（ｍ２７）で、帯電，露光，現像および転写等、作像条件をすべて基準値に設定して、転写ベルト１０上のリアＲ又はフロントＦに、Ｋ，Ｙ，ＣおよびＭ像を形成して、光センサ２０ｒ又は２０ｆで像濃度を検出して、それが基準値となるように、帯電ローラ印加電圧，露光強度および現像バイアスを調整し設定する。そして次に、「色合わせ」（ＣＰＡ）を実行する。
図９（ｂ）に、「色合わせ」（ＣＰＡ）の内容を示す。この「色合わせ」（ＣＰＡ）に進むとＭＰＵ４１は、先ず、「テストパターンの形成と計測」（ＰＦＭ）にて、前記「プロセスコントロール」（ｍ２７）で設定した作像条件（パラメータ）で、転写ベルト１０上に、図５に示すように、リアＲ，フロントＦのそれぞれに、スタートマークＭｓｒ，Ｍｓｆならびに複数セットのテストパターンを形成して、光センサ２０ｒ，２０ｆでマークを検出して、マーク検出信号Ｓｄｒ，ＳｄｆをＡ／Ｄコンパータ３６ｒ，３６ｆでデジタルデータすなわちマーク検出データＤｄｒ，Ｄｄｆに変換して読みこむ。そして、各マークの中心点の、転写ベルト１０上の位置（分布）を算出する。更に、リア側の複数セットの平均パターン（マーク位置の平均値群）と、同様なフロント側の複数セットの平均パターンを算出する。この「テストパターンの形成と計測」（ＰＦＭ）の内容は、図１０以下を参照して後述する。
【００３２】
平均パターンを算出すると、平均パターンにもとづいてＫ，Ｙ，ＣおよびＭ作像ユニットのそれぞれによる作像のずれ量を算出し（ＤＡＣ）、算出したずれ量に基づいてずれをなくするための調整を行う（ＤＡＤ）。
図１０に、「テストパターンの形成と計測」（ＰＦＭ）の内容を示す。これに進むとＭＰＵ４１は、図５に示すように、例えば１２５ｍｍ／ｓｅｃで定速駆動している転写ベルト１０のリア側Ｒおよびフロント側Ｆの表面のそれぞれに同時に、例えばマークのｙ方向の幅ｗが１ｍｍ、ｘ方向の長さＡが例えば２０ｍｍ、ピッチｄが例えば６ｍｍ、セット間の間隔ｃが例えば９ｍｍの、スタートマークＭｓｒ，Ｍｓｆならびに８セットのテストパターンの形成を開始し、スタートマークＭｓｒ，Ｍｓｆが光センサ２０ｒ，２０ｆの直下に到来する直前のタイミングを図るための、時限値がＴｗ１のタイマＴｗ１をスタートして（１）、該タイミングになるのを待つ。すなわちタイマＴｗ１がタイムオーバするのを待つ（２）。タイマＴｗ１がタイムオーバすると、今度は、リアおよびフロントそれぞれで８セットのテストパターンの最後のものが、光センサ２０ｒ，２０ｆを通過し終わるタイミングを図るための、時限値がＴｗ２のタイマＴｗ２をスタートする（３）。
すでに述べたが、光センサ２０ｒ，２０ｆの視野にＫ，Ｙ，Ｃ又はＭのマークが存在しないときには、光センサ２０ｒ，２０ｆの検出信号Ｓｄｒ，Ｓｄｆは高レベルＨ（５Ｖ）、マークが存在すると低レベルＬ（０Ｖ）であり、転写ベルト１０の定速移動により、検出信号Ｓｄｒがレベル変動を生ずる。
【００３３】
テストパターン中の最後のセットの最後のマークが光センサ２０ｒ，２０ｆを通過した後に、タイマＴｗ２がタイムオーバする。するとＭＰＵ４１は、タイマＴｓｐの割り込みを禁止する（７，８）。これにより、Ｔｓｐ周期処理（図示せず）における、検出信号Ｓｄｒ，ＳｄｆのＡ／Ｄ変換が停止する。ＭＰＵ４１は、その内部のＦＩＦＯメモリのｒメモリおよびｆメモリの、検出データＤｄｒ，Ｄｄｆに基づいて、マークの中心位置を算出し（ＣＰＡ）、リアｒおよびフロントｆそれぞれの、複数セットのパターンのそれぞれの検出したマーク中心点位置の分布の適否を検証して、不適な検出パターン（セット）は削除して（ＳＰＣ）、適正な検出パターンの、平均パターンを求める（ＭＰＡ）。
上述のように、マーク中心点位置を算出すると（ＣＰＡ）、ＭＰＵ４１は、つぎの「各セットのパターンの検証」（ＳＰＣ）で、メモリに書きこんだマーク中心点位置データ群が、図５に示すマーク分布相当の中心点分布であるかを検証する。ここで、図５に示すマーク分布相当から外れるデータは、セット単位で削除して、図５に示すマーク分布相当の、分布パターンとなるデータセット（１セットは１０個の位置データ群）のみを残す。
【００３４】
次に、ＭＰＵ４１は、リアｒ側のデータセットの、先頭のセット（第１セット）の第１中心点位置に、第２セット以降の各セットの中の第１マークの中心点位置データを変更し、第２〜１０マークの中心点位置データも、変更した差分値分変更する。すなわち、第２セット以降の各セットの中心点位置データ群を、各セットの先頭を第１セットの先頭に合わせるようにｙ方向にシフトした値に変更する。フロントｆ側の第２セット以降の各セットの中の中心点位置データも同様に変更する。
次に、ＭＰＵ４１は、「平均パターンの算出」（ＭＰＡ）で、リアｒ側の全セットの、各マークの中心点位置データの平均値を算出し、また、フロントｆ側の全セットの、各マークの中心点位置データの平均値を算出する。
【００３５】
これらの平均値は、
ＭＮｙ＿Ｒ１（Ｙのリア直交マークの代表），
ＭＮｋ１＿Ｒ１（第１基準色Ｋ１のリア直行マーク代表）
ＭＮＣ＿Ｒ１（Ｃのリア直交マークの代表），
ＭＮｋ２＿Ｒ１（第２基準色Ｋ２のリア直行マーク代表）
ＭＮｍ＿Ｒ１（Ｍのリア直交マークの代表），
ＭＮｙ＿Ｒ２（Ｙのリア斜交マークの代表），
ＭＮｋ１＿Ｒ２（第１基準色Ｋ１のリア斜交マーク代表）
ＭＮＣ＿Ｒ２（Ｃのリア斜交マークの代表），
ＭＮｋ２＿Ｒ２（第２基準色Ｋ２のリア斜交マーク代表），および
ＭＮｍ＿Ｒ２（Ｍのリア斜交マークの代表），ならびに
ＭＮｙ＿Ｆ１（Ｙのフロント直交マークの代表），
ＭＮｋ１＿Ｆ１（第１基準色Ｋ１のフロント直行マーク代表）
ＭＮＣ＿Ｆ１（Ｃのフロント直交マークの代表），
ＭＮｋ２＿Ｆ１（第２基準色Ｋ２のフロント直行マーク代表），
ＭＮｍ＿Ｆ１（Ｍのフロント直交マークの代表），
ＭＮｙ＿Ｆ２（Ｙのフロント斜交マークの代表），
ＭＮｋ１＿Ｆ２（第１基準色Ｋ１のフロント斜交マーク代表）
ＭＮＣ＿Ｆ２（Ｃのフロント斜交マークの代表），
ＭＮｋ２＿Ｆ２（第２基準色Ｋ２のフロント斜交マーク代表），および
ＭＮｍ＿Ｆ２（Ｍのフロント斜交マークの代表），
の中心位置を示している。
以上が、図１０に示す「テストパターンの形成と計測」（ＰＦＭ）の内容である。
【００３６】
図９（ｂ）を、再度参照する。図９（ｂ）に示すずれ量算出（ＤＡＣ）では、ＭＰＵ４１は、次のように、作像ずれ量を算出する。Ｙの作像ずれ量の算出（Ａｃｙ）を、具体的に次に示す。
ここでは、各直交マーク間及び各斜交マーク間のピッチをｄ、第５直交マークと第１斜交マークとの間のピッチをこれらの干渉を考慮して２ｄとして計算している
【００３７】
副走査ずれ量ｄｙｙ：リアｒ側の第１基準色であるＫ１の直交マークＭＮｋ１＿Ｒ１とＹ直交マークＭＮ＿Ｒ１の中心点位置の差Ｔｄｙｙの基準値ｄに対するずれ量として求められ、ｄｙｙ＝Ｔｄｙｙ−ｄとなる。
主走査ずれ量ｄｘｙ：リアｒ側の直交マークＭＮｙ＿Ｒ１と斜交マークＭＮｙ＿Ｒ２の中心点位置の差Ｔｄｘｙｒの基準値７ｄに対するずれ量で、ｄｘｙｒ＝Ｔｄｘｙｒ−７ｄと、フロントｆ側の直交マークＭＮｙ＿Ｆ１と斜交マークＭＮｙ＿Ｆ２の中心点位置の差Ｔｄｘｙｆの、基準値７ｄに対するずれ量でｄｘｙｆ＝Ｔｄｘｙｆ−７ｄとの平均値で、ｄｘｙ＝（Ｔｄｘｙｒ＋Ｔｄｘｙｆ）／２となる。
スキューｄＳｑｙ：リアｒ側の直交マークＭＮｙ＿Ｒ１とフロントｆ側の直交マークＭＮｙ＿Ｆ１の中心点位置の差Ｔｄｓｑｙで、ｄＳｑｙ＝Ｔｄｓｑｙとなる。
主走査線長のずれ量ｄＬｘｙ：リアｒ側の斜交マークＭＮｙ＿Ｒ２とフロントｆ側の斜交マークＭＮｙ＿Ｆ２の中心点位置の差ＴｄＬｘｙから、スキューｄＳｑｙ＝Ｔｄｓｑｙを減算した値で、ｄＬｘｙ＝ＴｄＬｘｙ−ｄＳｑｙ＝ＴｄＬｘｙ−Ｔｄｓｑｙとなる。
【００３８】
他の、Ｃの作像ずれ量は、第１基準色であるＫ１を基準として上記Ｙに関する算出と同様にして算出する（Ａｃｃ）。また、Ｍの作像ずれ量は、第２基準色であるＫ２を基準として上記Ｙと同様に算出する（Ａｃｍ）。
従って、Ｙ，Ｃ，Ｍのいずれもそれぞれ基準色Ｋ（Ｋ１もしくはＫ２）に対してピッチｄとすることができる。
なお、Ｋも大略では同様であるが、この実施例では、副走査方向ｙの色あわせはＫを基準にしているので、Ｋに関しては、副走査方向の位置ずれ量ｄｙｋの算出は行わない（Ａｃｋ）。
【００３９】
図９（ｂ）に示すずれの調整（ＤＡＤ）では、ＭＰＵ４１は、次のように、各色の作像ずれ量を調整する。Ｙのずれ量調整（Ａｄｙ）を、具体的に次に示す。
副走査ずれ量ｄｙｙの調整：Ｙトナー像形成のための画像露光（潜像形成）の開始タイミングを、基準のタイミング（ｙ方向）から、算出したずれ量ｄｙｙずらして設定する。
主走査ずれ量ｄｘｙの調整：Ｙトナー像形成のための画像露光（潜像形成）の、ライン先頭をあらわすライン同期信号に対する、書込みユニット５の露光レーザ変調器への、ライン先頭の画像データの送出タイミング（ｘ方向）を、基準のタイミングから、算出したずれ量ｄｘｙ分ずらして設定する。
スキューｄＳｑｙの調整：書込みユニット５の、感光体ドラム６ｂに対向してＹ画像データで変調したレーザビームを反射して感光体ドラム６ｂに投射するｘ方向に延びるミラーのリアｒ側は支点支持され、フロントｆ側が、ｙ方向に摺動可のブロックで支持されている。このブロックをパルスモータとスクリューを主体とするｙ駆動機構で、ｙ方向に往，復駆動してスキューｄＳｑｙを調整できる。
【００４０】
「スキューｄＳｑｙの調整」では、このｙ駆動機構のパルスモータを駆動して、ブロックを基準のｙ位置から、算出したスキューｄＳｑｙに相当する分駆動する。
主走査線長のずれ量ｄＬｘｙの調整：ライン上に画素単位で画像データを割りつける画素同期クロックの周波数を、基準周波数×Ｌｓ／（Ｌｓ＋ｄＬｘｙ）に設定する。Ｌｓは基準ライン長である。
他の、ＣおよびＭの作像ずれ量の調整は、上記Ｙに関する調整と同様にして調整する（Ａｄｃ，Ａｄｍ）。Ｋも大略では同様であるが、この実施例では、副走査方向ｙの色あわせはＫを基準にしているので、Ｋに関しては、副走査方向の位置ずれ量ｄｙｋの調整は行わない（Ａｄｋ）。次回の「色合わせ」まで、このように調整した条件でカラー画像形成を行う。
以上に説明した実施例では、図５に示すようにパターン配置でＫ（黒）を基準に、Ｙ（イエロー）、Ｋ１（黒）、Ｃ（シアン）、Ｋ２（黒）、Ｍ（マゼンタ）が等間隔ｄに配置されている。従ってＹ、ＣはＫ１を基準に、ＭはＫ２を基準に取ることで各々の間隔はすべてｄとできるため、繰り返しばらつきは、全色とも同レベルに抑えることができ、補正精度を向上することができる。
【００４１】
また、１セットの位置ズレ検出パターンの中にＫのパターンが２セット存在するので、たとえばＹの場合には、前述のように副走査のスキューは図５に図示するパターンのＫ（Ｋ１）との間隔ｄの左右差を検出し、スキュー量を算出するが、部分的なベルトのたわみなどがあるとそのまま影響されてしまうおそれも有している。そこで、もうひとつのＫ（Ｋ２）のマークとの差もスキューの算出に用い平均をとることで局所的な変動の影響を小さくすることができ、補正精度をさらに高めることができる。主走査倍率、主走査レジストについても同様にＫとの差を算出する際に２組のＫとの差を平均することで求めることにより、変動成分を同様に抑え、補正精度を向上することができる。
【００４２】
【発明の効果】
以上説明したように、本発明のカラー画像形成装置では、各色のトナー像のマーク配置を補正しようとする色と隣接した位置に基準色を必ず配置するようにしているため、基準色とのパターン間隔を各色同じにすることができ、センサ位置でトナーマークを検知する際に、位相の影響を小さくすることができ、繰り返しばらつきが小さくなり、位置ズレ補正を高精度に行うことができる。また、基準色との比較をそれぞれ２つの基準色との平均で行うので、より高精度の位置ずれ補正を行うことができる。
【図面の簡単な説明】
【図１】本発明を適用したカラー画像形成装置の概略図。
【図２】図１に示すプリントＰＴＲの内部機構の概要を示すブロック図。
【図３】図１に示すカラー画像形成装置の電気系統のシステム構成の概要を示すブロック図。
【図４】図４（ａ）は、図２に示す潜像形成ユニット及び現像ユニットを示す正面図であり、図４（ｂ）は、ユニット６０ａ装着直後におけるねじ付き（ａ）のピン部の縦断面図である。
【図５】本発明における転写媒体上に形成される各色マークの模式図。
【図６】図５の要部拡大図。
【図７】図３に示すプロセスコントローラの一部の構成を示すブロック図。
【図８】図７に示すマイクロコンピュータのプリント制御概要を示すフローチャート。
【図９】図９（ａ）は、図１２に示す「調整」の概要を示すフローチャート。
図９（ｂ）は、「色あわせ」ＣＰＡの概要を示すフローチャート。
【図１０】「テストパターンの形成と計測」ＰＦＭの内容を示すフローチャート。
【図１１】基準位置に対する累積誤差を示すグラフ線図。
【図１２】従来例における転写媒体上に形成される各色マークの模式図。
【図１３】累積誤差とピッチの関係を示すグラフ線図。
【図１４】従来例におけるパターンセットと位置ずれ量のバラツキ関係を示すグラフ線図。
【符号の説明】
ＰＴＲ　カラープリンタ
ＳＣＲ　スキャナ
ＡＤＦ　自動原稿供給装置
ＳＯＲ　ソータ
ＰＣ　パーソナルコンピュータ
６ａ〜６ｄ　感光体ドラム
７ａ〜７ｄ　現像ユニット
１０　転写ベルト
４１　ＭＰＵ（マイクロコンピュータ）
【図１】
2004117469.tif 000003
【図２】
2004117469.tif 000004
【図３】
2004117469.tif 000005
【図４】
2004117469.tif 000006
【図５】
2004117469.tif 000007
【図６】
2004117469.tif 000008
【図７】
2004117469.tif 000009
【図８】
2004117469.tif 000010
【図９】
2004117469.tif 000011
【図１０】
2004117469.tif 000012
【図１１】
2004117469.tif 000013
【図１２】
2004117469.tif 000014
【図１３】
2004117469.tif 000015
【図１４】
2004117469.tif 000016